(57)【特許請求の範囲】
【請求項１】
オープンショーケースの側板に形成された風防ガラス取付用の窓孔の周縁部に、複数個の分割型のトリムを、前記窓孔の角部を避けるようにして取り付け、かつトリムによって囲まれた前記窓孔に、風防ガラスを嵌合するようにしたオープンショーケースにおける風防ガラスの取付構造であって、
隣り合うトリムの端部同士を、前記窓孔の角部において近接させるとともに、前記窓孔の角部に、前記トリム同士の接合部を覆う連結部材を取り付け、この連結部材の内周面に、前記トリムの端部に外嵌しうる取付溝を形成したことを特徴とするオープンショーケースにおける風防ガラスの取付構造。
【請求項２】
連結部材を、側面視において、前記窓孔の角部の形状と補形をなすものとしたことを特徴とする請求項１記載のオープンショーケースにおける風防ガラスの取付構造。
【請求項３】
窓孔とほぼ補形をなす風防ガラスの周縁部に取り付けた保持杆を、前記トリムの外周面に固定したことを特徴とする請求項１または２に記載のオープンショーケースにおける風防ガラスの取付構造。
【請求項４】
保持杆を複数個に分割するとともに、前記風防ガラスの角部において、隣り合う保持杆の端部同士を近接させ、かつこの保持杆の端部を、前記連結部材の端面に形成した凹入孔に嵌合させたことを特徴とする請求項３記載のオープンショーケースにおける風防ガラスの取付構造。
【請求項５】
保持杆を複数個に分割するとともに、前記風防ガラスの角部において、異なる保持杆の端部同士を近接させ、かつこの保持杆の端部を、前記トリムに固定した固定具の開口部から、前記固定具の内部に嵌合したことを特徴とする請求項３または４記載のオープンショーケースにおける風防ガラスの取付構造。
【請求項６】
トリムの外周面に、トリムの内周側に向かって凹入する凹溝を形成し、この凹溝に、前記保持杆におけるトリムとの対向面に形成された係合突条を係合させたことを特徴とする請求項３〜５のいずれかに記載のオープンショーケースにおける風防ガラスの取付構造。
【請求項７】
連結部材の外周面に、風防ガラスの角部を収容しうる保持溝を形成したことを特徴とする請求項１〜６項のいずれかに記載のオープンショーケースにおける風防ガラスの取付構造。
【発明の詳細な説明】
【０００１】
【発明の属する技術分野】
本発明は、オープンショーケースの側板に形成した窓孔に、窓孔とほぼ補形をなす風防ガラスを取り付けるようにしたオープンショーケースにおける風防ガラスの取付構造に関する。
【０００２】
【従来の技術】
オープンショーケースの側板に形成した窓孔に、この窓孔とほぼ補形をなす風防ガラスを取り付けるには、窓孔の周縁部をトリムによって覆った後、窓孔内に風防ガラスを嵌合するのが一般的である。
【０００３】
窓孔へのトリムの取付構造の一例としては、窓孔の全周部と補形をなす一体型のトリムを、窓孔の周縁部に取り付けるようにしたものがある。
【０００４】
しかし、このような一体型のトリムは、成型が難しく、かつ完成品の保管や運搬が容易でないばかりでなく、形状の異なる様々のタイプの窓孔に用いることができないという欠点もある。
【０００５】
このため、窓孔の周縁部の各部分と補形をなす複数個の分割型のトリムを用意し、各トリムを、窓孔の周縁部の所定箇所にそれぞれ取り付けることにより、窓孔の全周縁部を覆うようにしたものが、例えば特開平８−２１９６３１号公報に記載されている。
【０００６】
この従来例では、側面視コ字形をなす側板の窓孔の上縁部と後縁部と下縁部とに、各縁部の形状と補形をなす複数個のトリムを取り付けることにより、窓孔の全周縁部を覆っており、各トリムの端部同士は、窓孔の角部において接合されている。
【０００７】
【発明が解決しようとする課題】
しかし、この特開平８−２１９６３１号公報に記載された従来例では、隣り合うトリムの接合部が外部に露呈するため、オープンショーケースの体裁が損なわれてしまう。
【０００８】
本発明は、従来の技術が有する上述のような問題点に鑑みてなされたもので、複数個の分割型のトリムを、オープンショーケースの側板に形成した窓孔の周縁部に体裁良く取り付けうるようにした、オープンショーケースにおける風防ガラスの取付構造を提供することを目的としている。
【０００９】
【課題を解決するための手段】
本発明によると、上記課題は、次のようにして解決される。
(１)  オープンショーケースの側板に形成された風防ガラス取付用の窓孔の周縁部に、複数個の分割型のトリムを、前記窓孔の角部を避けるようにして取り付け、かつトリムによって囲まれた前記窓孔に、風防ガラスを嵌合するようにしたオープンショーケースにおける風防ガラスの取付構造であって、隣り合うトリムの端部同士を、前記窓孔の角部において近接させるとともに、前記窓孔の角部に、前記トリム同士の接合部を覆う連結部材を取り付け、この連結部材の内周面に、前記トリムの端部に外嵌しうる取付溝を形成する。
【００１０】
(２)  上記(１)項において、連結部材を、側面視において、前記窓孔の角部の形状と補形をなすものとする。
【００１１】
(３)  上記(１)または(２)項において、窓孔とほぼ補形をなす風防ガラスの周縁部に取り付けた保持杆を、前記トリムの外周面に固定する。
【００１２】
(４)  上記(３)項において、保持杆を複数個に分割するとともに、前記風防ガラスの角部において、隣り合う保持杆の端部同士を近接させ、かつこの保持杆の端部を、前記連結部材の端面に形成した凹入孔に嵌合する。
【００１３】
(５)  上記(３)項または(４)項において、保持杆を複数個に分割するとともに、前記風防ガラスの角部において、異なる保持杆の端部同士を近接させ、かつこの保持杆の端部を、前記トリムに固定した固定具の開口部から、前記固定具の内部に嵌合する。
【００１４】
(６)  上記(３)項〜(５)項のいずれかにおいて、トリムの外周面に、トリムの内周側に向かって凹入する凹溝を形成し、この凹溝に、前記保持杆におけるトリムとの対向面に形成された係合突条を係合させる。
【００１５】
(７)  上記(１)項〜(６)項のいずれかにおいて、連結部材の外周面に、風防ガラスの角部を収容しうる保持溝を形成する。
【００１６】
【発明の実施の形態】
以下、請求項１〜６記載の発明を適用した本発明の第１の実施形態を、図１〜図８を参照しながら説明する。
なお、以下の説明における方向は、図１の左側を前方、右側を後方とする。
【００１７】
オープンショーケースの一例としての冷蔵ショーケース本体(１)の左右の側面(図１では、右側面のみを示す)を覆う側板(２)は、冷蔵ショーケース本体(１)に固着された内側板(３)と、複数個のスペーサ(４)を介して内側板(３)に取り付けた外側板(５)とからなっている。
【００１８】
内側板(３)と外側板(５)とは、側面視ほぼ前向きコ字形をなして、前面より凹入する窓孔(６)が形成されており、外側板(５)における窓孔(６)の後側の上下角部には、内方を向く取付片(７)が突設されている。
【００１９】
側板(２)の前半部分(窓孔(６)を含む)の周縁部には、チャンネル状をなす３個の分割型のトリム(８)(９)(10)が嵌合されている。
第１トリム(８)は、側板(２)の前面上部及び窓孔(６)の上縁部(6a)とほぼ補形をなす、側面視ほぼ後向コ字形のものであり、第２トリム(９)は、窓孔(６)の後縁部(6b)と対応する上下方向を向くものであり、第３トリム(10)は、窓孔(６)の下縁部(6c)及び側板(２)の前面下部とほぼ補形をなす、側面視ほぼ後向きコ字形のものである。
【００２０】
各トリム(８)(９)(10)の外周面の幅方向の中央部には、内周側に向かって凹入するＶ字状凹溝(11)(12)(13)が形成され、かつ各トリム(８)(９)(10)の内周面における嵌合溝(14)(15)(16)が、側板(２)の周縁部に嵌合されている(図６参照)。
【００２１】
窓孔(６)の後方の角部において近接する各トリム(８)(９)(10)の端部同士は、側面視ほぼＬ字形の連結部材(17)(18)(図１参照)で連結されている。
【００２２】
窓孔(６)の上方の角部における連結部材(17)は、上方の角部の角度に合わせて、側面視において鈍角にやや拡開しており、下方の角部に取り付けられた連結部材(18)は、下方の角部の角度に合わせて、側面視においてほぼ直角をなしている。しかし、両連結部材(17)(18)の基本的構造に差異はないので、以下においては、下方の連結部材(18)についてのみ説明する。
【００２３】
図３に詳細に示すように、連結部材(18)の内周面には、第２トリム(９)及び第３トリム(10)の端部に外嵌しうる取付溝(19)が形成され、かつ同じく外周面には、後述する風防ガラス(31)の角部を嵌合しうる保持溝(20)が形成されている。保持溝(20)の下面と後側面とには、通孔(21)(21)が設けられている。
連結部材(18)の上端面と前端面とには、後述する保持杆(25)(26)の端部を嵌合支持するための凹入孔(22)(22)が設けられている。
【００２４】
連結部材(18)の取付溝(19)を、既に窓孔(６)に取り付けられている第２トリム(９)及び第３トリム(10)の端部に外嵌し、かつ通孔(21)へ挿通したねじ(23)を取付片(７)に螺合することにより、連結部材(18)は、窓孔(６)の後側角部に固定されている(図５、図６参照)。
【００２５】
各トリム(８)(９)(10)のＶ字状凹溝(11)(12)(13)には、後述する風防ガラス(31)の上縁部と後縁部と下縁部を保持する細長い各保持杆(24)(25)(26)におけるトリム(８)(９)(10)との対向面に形成されたＶ字状の係合突条(27)(28)(29)が係合され(図６参照)、各保持杆(24)(25)(26)の端部は、連結部材(17)(18)の凹入孔(22)に嵌合されている(図５参照)。
【００２６】
保持杆(24)(25)(26)の内周面に設けられた狭幅の受溝(30)には、窓孔(６)とほぼ補形をなす風防ガラス(31)の上縁部と後縁部と下縁部が嵌合されている。風防ガラス(31)の各縁部は、保持杆(24)(25)(26)の内部に突設された左右１対の支持片(32)(32)と起立片(33)(33)とによって支持されている(図５、図６参照)。
【００２７】
風防ガラス(31)の後側の角部は、連結部材(17)(18)の保持溝(20)に嵌合され、風防ガラス(31)の角部が露呈しないようにしてある(図５参照)。
【００２８】
上方と下方の保持杆(24)(26)の前端部は、トリム(８)(10)に固着された前後方向を向く固定具(34)(34)によって保持されている。
【００２９】
上方のトリム(８)に取り付けられた固定具(34)と、下方のトリム(10)に取り付けられた固定具(34)は、互いに上下対称形をなすものの、両者の基本構造に差異はないので、以下においては、下方の固定具(34)についてのみ説明する。
【００３０】
図４に詳細に示すように、固定具(34)は、中空状をなし、その後面と下面と上面とが開口(35)(36)している。
上面の開口部(36)の後端には、左右１対の対向する抜け止め片(37)(37)が突設されている。
【００３１】
固定具(34)の左右両側部とトリム(10)とへ貫挿したねじ(38)(38)を、内側板(３)と外側板(５)の上面に螺合することにより(図７、図８参照)、固定具(34)はトリム(10)の前端部に固定されている。
【００３２】
下方の保持杆(26)の前端部は、固定具(34)の後面の開口部(35)から固定具(34)の内部の後半部に嵌合されており、左右の抜け止め片(37)(37)が、保持杆(26)の上方への抜け出しを阻止している(図７、図８参照)。
【００３３】
固定具(34)の内部の前半部には、風防ガラス(31)の前縁部に取り付けられた保持杆(39)の下端部が、上面の開口部(36)を通って嵌合されている(図７、図８参照)。
【００３４】
以上のような構成からなる本実施形態の風防ガラスの取付構造によれば、各トリム(８)(９)(10)同士の接合部分が、連結部材(17)(18)や固定具(34)(34)によって覆われるので、冷蔵ショーケースの外観が損なわれることはない。
また、トリム(８)(９)(10)は複数個に分割されているので、これらの運搬や保管が容易である。
【００３５】
保持杆(24)(25)(26)に形成された係合突条(27)(28)(29)(40)が、トリム(８)(９)(10)に形成されたＶ字状凹溝(11)(12)(13)内に位置決めされ、かつ保持杆(24)(25)(26)(39)の端部が、連結部材(17)(18)の凹入孔(22)や固定具(34)(34)により支持されるので、保持杆(24)(25)(26)(39)によって支持されている風防ガラス(31)が、窓孔(６)内で妄りに動くことがない。
【００３６】
風防ガラス(31)の角部が、連結部材(17)(18)によって覆われているので、風防ガラス(31)の角部に丸みをつける等の加工を施さなくても、冷蔵ショーケースの外観が損なわれることはない。
【００３７】
次に、請求項７記載の発明を適用した本発明の第２の実施形態を、図９を参照しながら説明する。
なお、第１の実施形態と同様の部材には、同じ符号を付すに止めて、その詳細な説明は省略する。
【００３８】
本実施形態の特徴は、風防ガラス(41)(41)を２枚構造とした点にある。
【００３９】
本実施形態の保持杆(42)の上面には、第１の実施形態の保持杆(42)の受溝(30)よりも幅広の受溝(43)が形成されており、保持杆(42)の内部には、互いに対向するほぼ水平の支持片(44)(44)が突設されている。
【００４０】
２枚の風防ガラス(41)(41)は、図示を省略したスペーサによって左右方向に離間させられており、風防ガラス(41)(41)の各縁部は、受溝(43)から保持杆(42)の内部に嵌合され、支持片(44)(44)によって支持されている。
【００４１】
この本実施形態によれば、風防ガラス(41)(41)を２枚構造としたことにより、風防ガラスへの結露を効果的に防止することができる。
【００４２】
【発明の効果】
本発明によると、次のような効果を奏することができる。
(ａ)  トリム同士の接合部分が、連結部材によって覆われるので、オープンショーケースの外観が損なわれることはない。
また、トリムは複数個に分割されているので、これらの運搬や保管が容易である。
【００４３】
(ｂ)  さらに、連結部材をトリムに容易に取り付けることができる。
【００４４】
(ｃ)  請求項２記載の発明によれば、窓孔の角部に、連結部材を体裁よく取り付けることができる。
【００４５】
(ｄ)  請求項３記載の発明によると、風防ガラスの窓孔への取り付けを、簡単かつ強固に行うことができる。
【００４６】
(ｅ)  請求項４記載の発明によると、保持杆の端部が連結部材に強固に固定されるので、保持杆によって支持されている風防ガラスが、窓孔内で妄りに動くことはない。
【００４７】
(ｆ)  請求項５記載の発明によると、保持杆の端部を簡単に支持できるとともに、保持杆同士の接合部を覆うことができるので、オープンショーケースの体裁が損なわれることがない。
【００４８】
(ｇ)  請求項６記載の発明によれば、保持杆におけるトリムとの対向面に形成された係合突条が、トリムの外周面に形成されたＶ字状凹溝によって位置決めされるので、風防ガラスの支持がより強固になる。
【００４９】
(ｈ)  請求項７記載の発明によれば、風防ガラスの角部が、連結部材によって覆われるので、風防ガラスの角部に丸みをつける等の加工を施さなくても、オープンショーケースの外観が損なわれることはない。
【図面の簡単な説明】
【図１】  本発明の第１の実施形態の分解斜視図である。
【図２】  同じく組立て後の側面図である
【図３】  同じく連結部材の拡大斜視図である
【図４】  同じく固定具の拡大斜視図である。
【図５】  同じく図２のV部の拡大縦断側面図である。
【図６】  同じく図５のVI−VI線に沿う拡大縦断正面図である。
【図７】  同じく図２のVII部の拡大縦断側面図である。
【図８】  同じく図７のVIII−VIII線に沿う横断平面図である。
【図９】  本発明の第２の実施形態の図６と同様の拡大縦断正面図である。
【符号の説明】
(１)冷蔵ショーケース本体
(２)側板
(３)内側板
(４)スペーサ
(５)外側板
(６)窓孔
(７)取付片
(８)第１トリム
(９)第２トリム
(10)第３トリム
(6a)上縁部
(6b)後縁部
(6c)下縁部
(11)(12)(13)凹溝
(14)(15)(16)嵌合溝
(17)(18)連結部材
(19)取付溝
(20)保持溝
(21)通孔
(22)凹入孔
(23)ねじ
(24)(25)(26)保持杆
(27)(28)(29)係合突条
(30)受溝
(31)風防ガラス
(32)支持片
(33)起立片
(34)固定具
(35)(36)開口部
(37)抜け止め片
(38)ねじ
(39)保持杆
(40)係合突条
(41)風防ガラス
(42)保持杆
(43)受溝
(44)支持片
【図１】
0003912692.tif 000002
【図２】
0003912692.tif 000003
【図３】
0003912692.tif 000004
【図４】
0003912692.tif 000005
【図５】
0003912692.tif 000006
【図６】
0003912692.tif 000007
【図７】
0003912692.tif 000008
【図８】
0003912692.tif 000009
【図９】
0003912692.tif 000010